(57)【要約】【課題】指先に装着される筆記具であって、指先との一体感を損なうことなく、良好な装着感が得られる筆記具、を提供する。【解決手段】筆記具である指先毛筆１０は、ものを書き記すための穂部１１と、本体部２１とを備える。本体部２１は、穂部１１を支持する一方端２１ｍと、指先が挿入される他方端２１ｎとを有する筒形状を有する。本体部２１には、その軸方向に延び、他方端２１ｎに達するスリット２３が形成される。本体部２１は、その軸方向において他方端２１ｎに近づくほど開口面積が小さくなるテーパ部２７を有する。本体部２１に挿入された指先によりテーパ部２７が押し広げられることによって、指先が本体部２１の内側に固定される。【選択図】図１
2011104992.tif 000002
【特許請求の範囲】
【請求項１】
ものを書き記すための筆記部と、
前記筆記部を支持する一方端と、指先が挿入される他方端とを有する筒形状を有し、その軸方向に延び、前記他方端に達するスリットが形成される本体部とを備え、
前記本体部は、その軸方向において前記他方端に近づくほど開口面積が小さくなるテーパ部を有し、
前記本体部に挿入された指先により前記テーパ部が押し広げられることによって、指先が前記本体部の内側に固定される、筆記具。
【請求項２】
前記本体部は、前記テーパ部に連設され、前記一方端に近づくほど開口面積が小さくなる逆テーパ部をさらに有し、
前記テーパ部と前記逆テーパ部とが隣接する位置で、前記本体部の開口面積が最も大きくなる、請求項１に記載の筆記具。
【発明の詳細な説明】
【技術分野】
【０００１】
この発明は、一般的には、ものを書き記すための筆記具に関し、より特定的には、指先に装着された使用形態をとり、書道、絵画、塗り絵、化粧等に用いられる毛筆に関する。
【背景技術】
【０００２】
たとえば、実開昭６４−１７７８３号公報には、毛筆の穂先を直接人の指先に嵌め込むことができる指筆が開示されている（特許文献１）。特許文献１に開示された指筆は、指先に嵌め込むことが可能な内径を有する筒形状の軸部を有する。
【０００３】
また、実開昭６２−１６６０７８号公報には、指先に嵌めて字や絵画を書くための指先毛筆が開示されている（特許文献２）。特許文献２に開示された指先毛筆は、毛筆の穂先が嵌入される穂先筒と、穂先筒が接続される指先筒とから構成されている。
【０００４】
また、実用新案登録第３１２４６８０号公報には、筆記時に筆記用具を３本の指で保持せずに筆記を可能とし、筆記具を手放すことを要せず、同時に軽作業を行なうことが可能であり、手および指の障害等によって筆記が不自由な人にも筆記を可能とする指装着型筆記具が開示されている（特許文献３）。また、特開昭５９−２９１９９号公報には、指に着脱して指先で文字等を描き得ることを特徴とする指筆記具が開示されている（特許文献４）。
【０００５】
また、特開２００８−２７３０３０号公報には、手軽に利用され、かつ扱い易いことを目的として毛筆が開示されている（特許文献５）。特許文献５に開示された毛筆は、筒形状を有し、指が挿入される装着部と、装着部に接続され、装着部に挿入された指の先に配置される穂部とを有する。
【先行技術文献】
【特許文献】
【０００６】
【特許文献１】実開昭６４−１７７８３号公報
【特許文献２】実開昭６２−１６６０７８号公報
【特許文献３】実用新案登録第３１２４６８０号公報
【特許文献４】特開昭５９−２９１９９号公報
【特許文献５】特開２００８−２７３０３０号公報
【発明の概要】
【発明が解決しようとする課題】
【０００７】
近年、幼児教育やリハビリテーションの現場において、書道や絵画、塗り絵等を行なうため手軽に扱える筆記具が求められている。このような筆記具の一例として、筆先が動物の毛やナイロン毛、スポンジから形成される毛筆が挙げられるが、毛筆の場合、筆圧が直接、線の太さや書体となって現れるため、書き手に微妙なタッチが要求される。このため、鉛筆やボールペンなどと比べると、毛筆にはその扱いが難しいという背景がある。
【０００８】
一方、上述の特許文献１〜５には、指先を筒状の軸部に嵌めて使用される各種の毛筆が開示されている。しかしながら、このような構成を備える毛筆においては、指先と毛筆との一体感が得られない場合、書き手は毛筆を思い通りに扱うことができない。また、十分な一体感を得るようにと軸部に対する指先の嵌め合いをきつくすると、使用の間に指先の血流が滞り、書き手が痛みを感じるおそれがある。
【０００９】
そこでこの発明の目的は、上記の課題を解決することであり、指先に装着される筆記具であって、指先との一体感を損なうことなく、良好な装着感が得られる筆記具を提供することである。
【課題を解決するための手段】
【００１０】
この発明に従った筆記具は、ものを書き記すための筆記部と、本体部とを備える。本体部は、筆記部を支持する一方端と、指先が挿入される他方端とを有する筒形状を有する。本体部には、その軸方向に延び、他方端に達するスリットが形成される。本体部は、その軸方向において他方端に近づくほど開口面積が小さくなるテーパ部を有する。本体部に挿入された指先によりテーパ部が押し広げられることによって、指先が本体部の内側に固定される。
【００１１】
このように構成された筆記具によれば、本体部に挿入された指先が、他方端側の一点においてテーパ部により保持される。これにより、指先との一体感を損なうことのない適度なフィット感を得つつ、良好な装着感を実現することができる。
【００１２】
また好ましくは、本体部は、逆テーパ部をさらに有する。逆テーパ部は、テーパ部に連設され、一方端に近づくほど開口面積が小さくなる。テーパ部と逆テーパ部とが隣接する位置で、本体部の開口面積が最も大きくなる。このように構成された筆記具によれば、本体部の開口面積が最も大きくなる位置に、幅広となる指先の第１関節を位置決めすることができる。これにより、本体部の内側で指先の第１関節が圧迫されることを抑制し、さらに良好な装着感を実現することができる。
【発明の効果】
【００１３】
以上に説明したように、この発明に従えば、指先に装着される筆記具であって、指先との一体感を損なうことなく、良好な装着感が得られる筆記具を提供することができる。
【図面の簡単な説明】
【００１４】
【図１】この発明の実施の形態１における指先毛筆の使用形態を示す斜視図である。
【図２】図１中の毛筆を構成する本体部を示す図である。
【図３】図１中の指先毛筆を構成するホルダ部を示す図である。
【図４】図１中の指先毛筆を示す断面図である。
【図５】この発明の実施の形態２における指先毛筆の使用形態を示す斜視図である。
【図６】図５中のキャップ部を装着した状態の指先毛筆を示す断面図である。
【図７】図６中の指先毛筆からホルダ部を取り外す工程を示す側面図である。
【図８】図５中の指先毛筆の別の使用形態を示す斜視図である。
【発明を実施するための形態】
【００１５】
この発明の実施の形態について、図面を参照して説明する。なお、以下で参照する図面では、同一またはそれに相当する部材には、同じ番号が付されている。
【００１６】
（実施の形態１）
図１は、この発明の実施の形態１における指先毛筆の使用形態を示す斜視図である。図１を参照して、まず、本実施の形態における指先毛筆１０の基本的な構造について説明すると、筆記具としての指先毛筆１０は、ものを書き記すための筆記部としての穂部１１と、本体部２１とを備える。本体部２１は、穂部１１を支持する一方端２１ｍと、指先が挿入される他方端２１ｎとを有する筒形状を有する。本体部２１には、その軸方向に延び、他方端２１ｎに達するスリット２３が形成される。本体部２１は、その軸方向において他方端２１ｎに近づくほど開口面積が小さくなるテーパ部２７を有する。本体部２１に挿入された指先によりテーパ部２７が押し広げられることによって、指先が本体部２１の内側に固定される。
【００１７】
続いて、本実施の形態における指先毛筆１０の構造について詳細に説明する。指先毛筆１０は、書道用の筆または絵画や塗り絵に用いられる絵筆である。指先毛筆１０は、墨汁やインクを用いて、文字や絵、色などを書き記す場合に使用される。なお、本発明における毛筆は、化粧に用いられる化粧筆であってもよい。
【００１８】
穂部１１は、墨汁やインク等の液体が染み込む部分である。穂部１１は、動物の毛やナイロン毛などを束ねて形成されている。本実施の形態では、穂部１１の根元部分（穂首）が接着剤によって固められている。また、穂部１１の形状は、図１中に示す形態に限られず、たとえば平筆タイプやハケ状の筆先であってもよい。
【００１９】
なお、本発明において、ものを書き記すための筆記部は、動物の毛やナイロン毛などから形成される穂部に限定されない。たとえば、筆記部は、墨汁やインキ等の液体を吸い込むことが可能なスポンジ部であってもよい。筆記部が、穂部１１もしくはスポンジ部から構成される場合、筆先が柔軟性を有するという点で共通する。また、筆記部は、硬質なペン先や鉛筆の芯などであってもよい。
【００２０】
指先毛筆１０は、ホルダ部３１をさらに有する。本体部２１の他方端２１ｎには、書き手の指先が挿入され、本体部２１の一方端２１ｍには、ホルダ部３１を介して穂部１１が接続されている。穂部１１は、本体部２１に挿入された指先の延長上に配置されている。
【００２１】
なお、本実施の形態では、書き手の人差し指が本体部２１に挿入されているが、人差し指以外の指が挿入されてもよい。また、本実施の形態では、穂部１１と、本体部２１に挿入された指先とが一直線上に並ぶように指先毛筆１０が構成されているが、本体部２１に挿入された指先に対して穂部１１が傾斜して設けられてもよい。
【００２２】
図２は、図１中の毛筆を構成する本体部を示す図である。図２を参照して、本体部２１は、一方端２１ｍと他方端２１ｎとを結ぶ方向が軸方向となる円筒形状を有する。本体部２１には、指挿入孔２２およびホルダ装着孔２４が形成されている。指挿入孔２２およびホルダ装着孔２４は、それぞれ、他方端２１ｎ側および一方端２１ｍ側に形成されている。指挿入孔２２およびホルダ装着孔２４は、互いに連通し、本体部２１の軸方向において本体部２１を貫通するように形成されている。本体部２１は、弾性を有する部材、たとえばエラストマから形成されている。
【００２３】
なお、指挿入孔２２およびホルダ装着孔２４が形成される形態は、貫通孔の形態に限られず、指挿入孔２２とホルダ装着孔２４との間が互いに連通しない形態であってもよい。
【００２４】
本体部２１には、複数本のスリット２３が形成されている。スリット２３は、本体部２１の軸方向に延び、本体部２１の他方端２１ｎに達するように形成されている。スリット２３は、本体部２１の軸方向において、指先を挿入する側の他方端２１ｎから、穂部１１を支持する側の一方端２１ｍより内側の位置まで延びて形成されている。複数本のスリット２３は、本体部２１の周方向において互いに間隔を隔てた位置に形成されている。複数本のスリット２３によって、本体部２１は径方向に弾性変形可能に形成されている。
【００２５】
なお、スリット２３が形成される本数は、特に限定されないが、好ましくは、複数本のスリット２３が形成される。本実施の形態における指先毛筆１０においては、６本のスリット２３が形成されている。
【００２６】
本体部２１は、テーパ部２７を有する。テーパ部２７は、本体部２１をその軸方向に直交する平面により切断した場合の開口面積（スリット２３が形成されていない場合を想定した場合の開口面積）が、本体部２１の軸方向において他方端２１ｎに近づくほど小さくなるように形成されている。すなわち、テーパ部２７は、指挿入孔２２が本体部２１の軸方向において他方端２１ｎに近づくほど径方向に狭まるように形成されている。スリット２３は、本体部２１の軸方向においてテーパ部２７の全長に渡って形成されている。
【００２７】
本体部２１は、逆テーパ部２８をさらに有する。逆テーパ部２８は、本体部２１をその軸方向に直交する平面により切断した場合の開口面積が、本体部２１の軸方向において一方端２１ｍに近づくほど小さくなるように形成されている。すなわち、逆テーパ部２８は、指挿入孔２２が本体部２１の軸方向において一方端２１ｍに近づくほど径方向に狭まるように形成されている。逆テーパ部２８は、指挿入孔２２の内周面が一方端２１ｍに近づくに従って湾曲しながら縮径するように形成されている。
【００２８】
テーパ部２７と逆テーパ部２８とは、本体部２１の軸方向において連なって設けられている。テーパ部２７と逆テーパ部２８とが隣接する位置には、指挿入孔２２の直径が最も大きくなる拡径部２９が設けられている。拡径部２９は、本体部２１の軸方向において指挿入孔２２の全長の中程に設けられている。
【００２９】
本実施の形態では、本体部２１がその軸方向においてほぼ一定の厚みを有するように形成されている。このため、本体部２１は、他方端２１ｎから拡径部２９に向かうに従って拡径し、さらに拡径部２９から一方端２１ｍに向かうに従って縮径する外観形状を有する。
【００３０】
本体部２１は、係止部２６を有する。係止部２６は、ホルダ装着孔２４の内周面から径方向内側に突出するように形成されている。係止部２６には、溝２５が形成されている。溝２５は、本体部２１の周方向の所定の位相位置において、本体部２１の軸方向に延びて形成されている。本実施の形態では、２つの溝２５が、互いに１８０°ずれた位相位置に形成されている。
【００３１】
図３は、図１中の指先毛筆を構成するホルダ部を示す図である。図３を参照して、ホルダ部３１は、ポリプロピレン（polypropylene）等の樹脂から形成されている。ホルダ部３１は、穂部挿入部３５と、本体接続部３９とが組み合わさって構成されている。
【００３２】
穂部挿入部３５は、穂部挿入孔３８が形成された有底の筒形状を有する。本体接続部３９は、図２中の本体部２１に形成されたホルダ装着孔２４に対して挿入可能な円柱形状を有する。穂部挿入部３５と本体接続部３９とは、穂部挿入孔３８の中心軸と本体接続部３９の中心軸とが重なるように、軸方向に連なって形成されている。
【００３３】
本体接続部３９は、係止部３３を有する。係止部３３は、本体接続部３９の外周面から径方向外側に突出するように形成されている。係止部３３は、図２中の本体部２１に形成された溝２５に対応する位置に形成されている。係止部３３は、ホルダ装着孔２４に対するホルダ部３１の挿入時において溝２５に挿入可能な形状を有する。
【００３４】
ホルダ部３１には、環状溝３６および係止部３７が形成されている。環状溝３６は、穂部挿入部３５と本体接続部３９との間の位置で、周方向に延びて形成されている。係止部３７は、環状溝３６の底面から径方向外側に向けて突出するように形成されている。係止部３７は、環状溝３６が延びる周方向において所定の位相位置に形成されている。本実施の形態では、４つの係止部３７が、９０°毎の位相位置に形成されている。
【００３５】
ホルダ部３１には、孔３４が形成されている。孔３４は、ホルダ部３１の軸方向に延びている。孔３４は、本体接続部３９を貫通し、穂部挿入孔３８に連通するように形成されている。
【００３６】
図４は、図１中の指先毛筆を示す断面図である。図２から図４を参照して、穂部１１は、ホルダ部３１の穂部挿入孔３８に挿入されている。孔３４には、ピン部材４１が挿入されている。ピン部材４１のピン先が穂部１１の根元部分に突き刺さった形態により、穂部１１がホルダ部３１に対して固定されている。なお、穂部１１の長さが比較的短い場合には、ピン部材４１を穂部１１の根元部分に突き刺す構造によって、穂部１１の穂先をまとめるという効果も奏される。
【００３７】
ホルダ部３１は、一方端２１ｍ側からホルダ装着孔２４に挿入された形態で本体部２１に接続されている。ホルダ部３１は、係止部２６に対する係止部３３の係止構造によって、本体部２１に固定されている。
【００３８】
本体部２１に対するホルダ部３１の接続時、係止部３３の位置を溝２５に合わせながら、ホルダ部３１をホルダ装着孔２４に挿入する。係止部３３が溝２５から抜ける位置までホルダ部３１を挿入したら、ホルダ部３１を周方向に回転させる。これにより、係止部３３が係止部２６に対して係止される。逆にホルダ部３１を本体部２１から取り外す場合には、ホルダ部３１を回転させて係止部３３の位置を溝２５に合わせた後、ホルダ部３１をホルダ装着孔２４から引き抜けばよい。このような構成により、ホルダ部３１は、本体部２１に対して着脱自在に設けられている。
【００３９】
図１および図４を参照して、本実施の形態における指先毛筆１０においては、書き手の指先が他方端２１ｎ側から本体部２１に挿入されると、テーパ部２７が径方向外側に押し広げられるように本体部２１が弾性変形する。
【００４０】
この際、本体部２１は、スリット２３が形成されたことにより径方向に変形可能なため、指先を円滑に挿入することができる。径方向外側への変形に対してテーパ部２７は自らの弾性力によって元の形状に戻ろうとするため、指先は、テーパ部２７によって本体部２１の内側に固定される。図１中に示す使用形態においては、指先の先端がホルダ部３１に当接するとともに、指先の第１関節と第２関節との間の第２関節付近が縮径しようとするテーパ部２７によって保持されている。また、指先の第１関節付近が、拡径部２９に位置決めされている。
【００４１】
このように構成された、この発明の実施の形態１における指先毛筆１０によれば、指先毛筆１０は、本体部２１に指先を挿入した状態で使用される。このため、たとえば、幼児が習字やお絵書きを習う場合や、指先の感覚を取り戻すために老人がリハビリテーションを行なう場合であっても、指先毛筆１０を手軽に利用できる。
【００４２】
指先毛筆１０の装着時、指先が他方端２１ｎ側の一点で保持されるため、指先の全体が本体部２１の内側で圧迫を受けるということがない。また、幅広となる指先の第１関節付近が拡径部２９に位置決めされるため、本体部２１の内側で第１関節付近が圧迫されることを効果的に抑制できる。このため、指先毛筆１０を長時間に渡って使用するに際しても指先が痛みを感じるということがない。一方、指先は、その先端側が本体接続部３９に当接し、その根元側がテーパ部２７によって保持されるため、本体部２１の軸方向における両端が指先によって支持されることになる。このため、指先と穂部１１との一体感が損なわれない程度の適度なフィット感を得つつ、良好な装着感を実現することができる。
【００４３】
また、本実施の形態における指先毛筆１０においては、複数本のスリット２３が形成された本体部２１の弾性変形を利用して指先を保持する。このため、指先の大きさが異なる複数人の使用に対しても容易に対応することが可能であり、たとえば、一般男性用と、女性もしくは幼児用との２種類の本体部２１を準備すればよい。
【００４４】
また、本実施の形態における指先毛筆１０は、本体部２１に対して着脱可能なホルダ部３１を有する。このような構成により、予め複数のホルダ部３１を準備しておくことによって、使用中の穂部１１を、穂の種類や大きさの異なる別の穂部１１と取り替えることが可能となる。これにより、指先毛筆１０の使用目的の幅を広げることができる。
【００４５】
なお、本実施の形態における指先毛筆１０では、穂部１１をホルダ部３１を介して本体部２１に接続する構造について説明したが、このような構造に限られず、穂部１１を本体部２１に直接、接続する構造を採用してもよい。
【００４６】
（実施の形態２）
図５は、この発明の実施の形態２における指先毛筆の使用形態を示す斜視図である。本実施の形態における指先毛筆は、実施の形態１における指先毛筆１０と比較して、基本的には同様の構造を備える。以下、重複する構造についてその説明を繰り返さない。
【００４７】
図５を参照して、本実施の形態における指先毛筆６０は、実施の形態１における指先毛筆１０の構造に加えて、キャップ部６１をさらに有する。
【００４８】
キャップ部６１は、穂部１１を覆うことが可能なキャップ形状を有する。本実施の形態では、キャップ部６１が、穂部１１の外周上でその周方向に分割された分割体６２および分割体６３から構成されている。分割体６２および分割体６３は、回動自在に連結されており、互いが重なる位置まで回動させることによって穂部１１を覆う形態をとる。キャップ部６１には、通気孔６４が形成されている。通気孔６４は、使用後の穂部１１を収容するキャップ部６１の内部空間と、外部空間との間を連通させる。
【００４９】
キャップ部６１は、突出部６８を有する。突出部６８は、キャップ部６１の内周面からその径方向内側に突出するように形成されている。キャップ部６１には、溝６６が形成されている。溝６６は、突出部６８の内周面から凹むように形成されている。溝６６は、図３中のホルダ部３１に形成された係止部３７に対応する位置に形成されている。
【００５０】
図６は、図５中のキャップ部を装着した状態の指先毛筆を示す断面図である。図７は、図６中の指先毛筆からホルダ部を取り外す工程を示す側面図である。
【００５１】
図６を参照して、キャップ部６１は、環状溝３６に突出部６８が嵌合し、さらに、係止部３７が溝６６に嵌合するように、ホルダ部３１に固定されている。ホルダ部３１とキャップ部６１とは、ホルダ部３１を本体部２１から取り外す際にホルダ部３１が操作される方向、すなわちホルダ部３１の周方向において、係止部３７と溝６６との嵌合構造により一体に固定されている。
【００５２】
図７を参照して、本実施の形態においては、ホルダ部３１を本体部２１から取り外す場合、キャップ部６１ごとホルダ部３１を周方向に回転させ、係止部３３の位置を溝２５に合わせた後、ホルダ装着孔２４から引き抜く。このため、作業者は、キャップ部６１によって穂部１１に触れることなくホルダ部３１の交換が可能となるため、ホルダ部３１の交換時の作業性を向上させることができる。
【００５３】
このような構成を備える指先毛筆６０においては、ホルダ部３１の数に合わせて複数のキャップ部６１が準備されてもよい。これにより、複数のホルダ部３１が準備されている場合であっても、ホルダ部３１およびキャップ部６１をセット品として扱い、たとえば、穂部１１をキャップ部６１で覆った状態で収納することも可能となる。
【００５４】
図８は、図５中の指先毛筆の別の使用形態を示す斜視図である。図８を参照して、本実施の形態における指先毛筆６０においては、ホルダ部３１から取り外されたキャップ部６１が、本体部２１に挿入可能に設けられている。より具体的には、キャップ部６１は、テーパ部２７を押し広げながら指挿入孔２２の内部に挿入可能な形状を有する。キャップ部６１は、指挿入孔２２の内部に挿入された状態において、その後端が他方端２１ｎから突出する形状を有する。
【００５５】
これにより、書き手は、指先に挿入して使用する形態以外に、キャップ部６１を把持して指先毛筆６０を扱うことが可能となる。この際、キャップ部６１が挿入された本体部２１は、一般的な毛筆と比べて径が大きいため、幼児などであっても本体部２１を容易に把持することができる。結果、毛筆の使用形態の幅を広げ、より多くの人に書道に親しんでもらうことができる。
【００５６】
すなわち、筆記具としての指先毛筆６０は、本体部２１に着脱可能に設けられ、筆記部としての穂部１１を覆うキャップ部６１をさらに備える。本体部２１から取り外されたキャップ部６１が、本体部２１に挿入可能に設けられる。このように構成された筆記具によれば、本体部２１に指先を挿入して使用する形態以外に、本体部２１に挿入されたキャップ部６１を把持して筆記具を扱う使用形態を採ることができる。
【００５７】
このように構成された、この発明の実施の形態２における指先毛筆６０によれば、実施の形態１に記載の効果を同様に得ることができる。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５９】
この発明は、主に、書道、絵画、塗り絵、化粧等に用いられ、指先に装着される指先毛筆に利用される。
【符号の説明】
【００６０】
１０，６０  指先毛筆、１１  穂部、２１  本体部、２１ｍ  一方端、２１ｎ  他方端、２２  指挿入孔、２３  スリット、２４  ホルダ装着孔、２５，６６  溝、２６，３３，３７  係止部、２７  テーパ部、２８  逆テーパ部、２９  拡径部、３１  ホルダ部、３４  孔、３５  穂部挿入部、３６  環状溝、３８  穂部挿入孔、３９  本体接続部、４１  ピン部材、６１  キャップ部、６２，６３  分割体、６４  通気孔、６８  突出部。
【図１】
2011104992.tif 000003
【図２】
2011104992.tif 000004
【図３】
2011104992.tif 000005
【図４】
2011104992.tif 000006
【図５】
2011104992.tif 000007
【図６】
2011104992.tif 000008
【図７】
2011104992.tif 000009
【図８】
2011104992.tif 000010